(57)【要約】【課題】装置アクセス規制（ACB）及び特定アクセス規制（ASAC, SSAC）の両方が移動通信ネットワークにおいて用いられる場合でも、特定アクセス規制非対応のユーザ装置と比較して不利な規制の扱いを受けることがないユーザ装置及び通信方法を提供する。【解決手段】UE100は、ASACの起動指令及びACBの起動指令を受信し、UE100においてASACが起動しているか否かを判定し、ASACが起動されている場合、ACBを無効にする。【選択図】図３
2014216700.tif 000002
【特許請求の範囲】
【請求項１】
特定のアプリケーションまたは特定のサービスによる通信を規制する特定アクセス規制と、特定の通信に限定することなく全ての種類の通信を規制する装置アクセス規制とを実行可能なユーザ装置であって、
前記特定アクセス規制の起動指令及び前記装置アクセス規制の起動指令を受信する起動指令受信部と、
前記ユーザ装置において、前記特定アクセス規制及び前記装置アクセス規制の起動を制御するアクセス制御部と
を備え、
前記アクセス制御部は、前記起動指令受信部が前記特定アクセス規制の起動指令または前記装置アクセス規制の起動指令を受信した場合、前記ユーザ装置において前記特定アクセス規制が起動しているか否かを判定し、前記特定アクセス規制が起動されている場合、前記装置アクセス規制を無効にするユーザ装置。
【請求項２】
前記アクセス制御部は、
前記起動指令受信部が前記特定アクセス規制の起動指令を受信した場合、前記特定アクセス規制を起動し、
前記特定アクセス規制が正常に起動した場合、前記装置アクセス規制を無効にする請求項１に記載のユーザ装置。
【請求項３】
前記アクセス制御部は、
前記起動指令受信部が前記特定アクセス規制の起動指令と、前記装置アクセス規制の起動指令とを同時に受信した場合、前記特定アクセス規制を起動し、
前記特定アクセス規制が正常に起動した場合、前記装置アクセス規制を無効にする請求項１に記載のユーザ装置。
【請求項４】
前記アクセス制御部は、前記特定アクセス規制が正常に起動しない場合、前記装置アクセス規制を起動する請求項２または３に記載のユーザ装置。
【請求項５】
前記アクセス制御部は、前記起動指令受信部が前記特定アクセス規制の起動指令と、前記装置アクセス規制の起動指令とを同時に受信した場合、前記ユーザ装置において前記特定アクセス規制が起動しているか否かを判定し、前記特定アクセス規制が起動されている場合、前記装置アクセス規制を無効にする請求項１に記載のユーザ装置。
【請求項６】
前記アクセス制御部は、無線リソース制御レイヤにおける無線基地局との接続において、前記装置アクセス規制を無効にする請求項１に記載のユーザ装置。
【請求項７】
ユーザ装置における特定のアプリケーションまたは特定のサービスによる通信を規制する特定アクセス規制と、特定の通信に限定することなく全ての種類の通信を規制する装置アクセス規制とを実行可能な通信方法であって、
前記ユーザ装置が、前記特定アクセス規制の起動指令及び前記装置アクセス規制の起動指令を受信するステップと、
前記ユーザ装置において、前記特定アクセス規制及び前記装置アクセス規制の起動を制御するステップと
を備え、
前記制御するステップでは、前記起動指令受信部が前記特定アクセス規制の起動指令または前記装置アクセス規制の起動指令を受信した場合、前記ユーザ装置において前記特定アクセス規制が起動しているか否かを判定し、前記特定アクセス規制が起動されている場合、前記装置アクセス規制を無効にする通信方法。
【発明の詳細な説明】
【技術分野】
【０００１】
本発明は、Access Class Barring（ACB）、Application and Service Access Control（ASAC）またはService Specific Access Control（SSAC）などを実行可能なユーザ装置及び通信方法に関する。
【背景技術】
【０００２】
従来、3rd Generation Partnership Project（3GPP）において規定されている3GやLong Term Evolution（LTE）では、移動通信ネットワークでの輻輳を回避する技術として、アクセス規制（AC）が用いられている。このようなアクセス規制として、ユーザ装置（UE）に対して、特定の通信に限定することなく全ての種類の通信を規制するAccess Class Barring（ACB）が広く知られている（例えば、非特許文献１）。また、UEに対して、特定のサービス（音声通話やＴＶ電話）を規制するService Specific Access Control（SSAC）も規定されている。
【０００３】
さらに、UEに対して、特定のアプリケーション（例えば、電子メールやウェブブラウジング）を規制したり、特定のアプリケーション（例えば、災害用伝言板、災害用音声伝言）もしくは特定のサービス（音声通話やＴＶ電話）を許容したりするApplication and Service Access Control（ASAC）も、3GPPにおいて審議されている。
【先行技術文献】
【非特許文献】
【０００４】
【非特許文献１】3GPP TS22.011 V11.2.0, 3rd Generation Partnership Project; Technical Specification Group Services and System Aspects; Service accessibility (Release 11) Section 4：Access control、3GPP、2011年12月
【発明の概要】
【発明が解決しようとする課題】
【０００５】
上述したように、従来のACB（装置アクセス規制）に加え、特定のサービスまたはアプリケーションを規制するSSACまたはASAC（特定アクセス規制）が導入されると、特に特定アクセス規制の導入開始から暫くの期間、移動通信ネットワークでは、従来の装置アクセス規制及び特定アクセス規制に対応したUE（以下、特定アクセス規制対応UE）と、特定アクセス規制に対応していないUE（以下、特定アクセス規制非対応UE）とが混在する状態となることが想定される。このため、装置アクセス規制及び特定アクセス規制の両方を用いて移動通信ネットワークの輻輳を回避する必要がある。
【０００６】
しかしながら、特定アクセス規制対応UEは、装置アクセス規制及び特定アクセス規制の両方による規制の対象となるため、特定アクセス規制非対応UEと比較して、より規制の対象となり易く、不利な取扱いを受ける。
【０００７】
そこで、本発明は、このような状況に鑑みてなされたものであり、装置アクセス規制（ACB）及び特定アクセス規制（ASAC, SSAC）の両方が移動通信ネットワークにおいて用いられる場合でも、特定アクセス規制非対応のユーザ装置と比較して不利な規制の扱いを受けることがないユーザ装置及び通信方法の提供を目的とする。
【課題を解決するための手段】
【０００８】
本発明の第１の特徴は、特定のアプリケーションまたは特定のサービスによる通信を規制する特定アクセス規制と、特定の通信に限定することなく全ての種類の通信を規制する装置アクセス規制とを実行可能なユーザ装置であって、前記特定アクセス規制の起動指令及び前記装置アクセス規制の起動指令を受信する起動指令受信部と、前記ユーザ装置において、前記特定アクセス規制及び前記装置アクセス規制の起動を制御するアクセス制御部とを備え、前記アクセス制御部は、前記起動指令受信部が前記特定アクセス規制の起動指令または前記装置アクセス規制の起動指令を受信した場合、前記ユーザ装置において前記特定アクセス規制が起動しているか否かを判定し、前記特定アクセス規制が起動されている場合、前記装置アクセス規制を無効にすることを要旨とする。
【０００９】
本発明の第２の特徴は、ユーザ装置における特定のアプリケーションまたは特定のサービスによる通信を規制する特定アクセス規制と、特定の通信に限定することなく全ての種類の通信を規制する装置アクセス規制とを実行可能な通信方法であって、
前記ユーザ装置が、前記特定アクセス規制の起動指令及び前記装置アクセス規制の起動指令を受信するステップと、前記ユーザ装置において、前記特定アクセス規制及び前記装置アクセス規制の起動を制御するステップとを備え、前記制御するステップでは、前記起動指令受信部が前記特定アクセス規制の起動指令または前記装置アクセス規制の起動指令を受信した場合、前記ユーザ装置において前記特定アクセス規制が起動しているか否かを判定し、前記特定アクセス規制が起動されている場合、前記装置アクセス規制を無効にすることを要旨とする。
【発明の効果】
【００１０】
本発明の特徴によれば、装置アクセス規制（ACB）及び特定アクセス規制（ASAC, SSAC）の両方が移動通信ネットワークにおいて用いられる場合でも、特定アクセス規制非対応のユーザ装置と比較して不利な規制の扱いを受けることがないユーザ装置及び通信方法を提供することができる。
【図面の簡単な説明】
【００１１】
【図１】本発明の実施形態に係る移動通信システム10の全体概略構成図である。
【図２】本発明の実施形態に係るUE100の機能ブロック構成図である。
【図３】本発明の実施形態に係るUE100がASACの起動指令を受信した場合における動作シーケンス（動作例１）を示す図である。
【図４】本発明の実施形態に係るUE100がASAC及びACBの起動指令を同時に受信した場合における動作シーケンス（動作例２）を示す図である。
【図５】本発明の実施形態に係るUE100がASACの起動指令を受信した場合における動作シーケンス（動作例３）を示す図である。
【図６】本発明の実施形態に係るUE100がASAC及びACBの起動指令を同時に受信した場合における動作シーケンス（動作例４）を示す図である。
【発明を実施するための形態】
【００１２】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００１３】
したがって、具体的な寸法などは以下の説明を参酌して判断すべきものである。また、図面相互間においても互いの寸法の関係や比率が異なる部分が含まれていることは勿論である。
【００１４】
（１）移動通信システムの全体概略構成
図１は、本実施形態に係る移動通信システム10の全体概略構成図である。図１に示すように、移動通信システム10は、3rd Generation Partnership Project（3GPP）によって規定された通信方式、具体的には、Long Term Evolution（LTE）に従った移動通信システムであり、移動通信ネットワーク20、運用管理システム30（OPS）、無線基地局40（以下、eNB40）及びユーザ装置100（以下、UE100）を含む。
【００１５】
移動通信ネットワーク20は、eNB40、移動管理ノード（MME）及び外部ネットワークとのゲートウェイ（不図示）などを含む通信ネットワーク、いわゆるPublic Land Mobile Network（PLMN）である。
【００１６】
運用管理システム30は、移動通信ネットワーク20に接続されており、移動通信ネットワーク20を構成するeNB40などの装置やUE100を管理する。特に、本実施形態では、運用管理システム30は、eNB40に対して、UE100の移動通信ネットワーク20に対するアクセス規制を指示する。
【００１７】
eNB40は、UE100と無線通信を実行する無線基地局である。具体的には、eNB40は、LTEに従った無線通信を実行する。また、eNB40は、運用管理システム30から受信したアクセス規制の指示に基づいて、該当するUE100に向けて当該アクセス規制を指示する。
【００１８】
UE100は、eNB40と無線通信を実行するユーザ装置である。UE100は、複数のアプリケーション（例えば、電子メール、ウェブブラウジング、災害用伝言板及び災害用音声伝言）やサービス（音声通話やＴＶ電話）を実行することができる。また、UE100は、eNB40から受信したアクセス規制に基づいて、移動通信ネットワーク20へのアクセス規制を実行することができる。
【００１９】
具体的には、UE100は、特定のアプリケーションによる通信を規制するApplication and Service Access Control（ASAC）、及び特定のサービスによる通信を規制するService Specific Access Control（SSAC）を実行することができる。本実施形態では、ASAC及びSSACを特定アクセス規制と称し、以下の説明では、主にASACを例として説明する。
【００２０】
また、UE100は、特定の通信に限定することなく全ての種類の通信を規制するAccess Control Barring（ACB、装置アクセス規制）を実行することができる。
【００２１】
（２）UE100の機能ブロック構成
次に、移動通信システム10を構成するUE100の機能ブロック構成について説明する。図２は、UE100の機能ブロック構成図である。なお、図２では、本発明と関連性が低い機能ブロックについては省略されていることに留意されたい。
【００２２】
図２に示すように、UE100は、Radio Resource Control 110（以下、RRC110）、OS／管理用アプリケーション120及び一般アプリケーション130によって構成される。
【００２３】
RRC110は、無線リソース制御レイヤ（RRCレイヤ）における処理を実行する。RRC110は、起動指令受信部111及びアクセス制御部113を備える。
【００２４】
OS／管理用アプリケーション120は、一般アプリケーション130を実行するためのオペレーティングシステム（OS）、及びUE100の動作などを管理する管理用アプリケーションによって構成される。本実施形態では、OS／管理用アプリケーション120は、ASAC起動部121を備える。
【００２５】
一般アプリケーション130は、UE100にインストールされたアプリケーションソフトウェア、具体的には、電子メールやウェブブラウジングなどのアプリケーション、或いは通信サービス（音声通話やＴＶ電話）を実行するためのアプリケーションである。一般アプリケーション130には、UE100に予めインストールされているアプリケーションソフトウェアや、UE100のユーザがダウンロードしてインストールしたアプリケーションソフトウェアが含まれる。
【００２６】
起動指令受信部111は、eNB40からアクセス規制の起動指令（起動トリガー）を受信する。具体的には、起動指令受信部111は、eNB40からブロードキャストされる報知情報に含まれるASAC（特定アクセス規制）の起動指令及びACB（装置アクセス規制）の起動指令を受信する。
【００２７】
アクセス制御部113は、UE100において、ASAC及びACBの起動を制御する。具体的には、アクセス制御部113は、起動指令受信部111がASACの起動指令を受信した場合、UE100においてASACが起動しているか否かを判定し、ASACが起動されている場合、ACBを無効にする。すなわち、アクセス制御部113は、ASACが起動されている場合、ACBが起動されないように制御する。同様に、アクセス制御部113は、ACBの起動指令を受信した場合、UE100においてASACが起動しているか否かを判定し、ASACが起動されている場合、ACBを無効にする。
【００２８】
アクセス制御部113は、起動指令受信部111がASACの起動指令を受信した場合、ASACを起動し、ASACが正常に起動した場合、ACBを無効にすることもできる。すなわち、アクセス制御部113は、ASACの起動指令を受信した場合、ASACが起動しているか否かを判定することなく、ASAC起動部121にASACの起動を指示し、ASAC起動部121からASACが正常に起動したことが通知された場合、ACBを無効にする。
【００２９】
さらに、アクセス制御部113は、起動指令受信部111がASACの起動指令と、ACBの起動指令とを同時に受信した場合、ASACを起動し、ASACが正常に起動した場合、ACBを無効にすることもできる。
【００３０】
なお、アクセス制御部113は、ASACが正常に起動しない場合、ACBを起動する。或いは、アクセス制御部113は、起動指令受信部111がASACの起動指令と、ACBの起動指令とを同時に受信した場合、UE100においてASACが起動しているか否かを判定し、ASACが起動されている場合、ACBを無効にしてもよい。
【００３１】
また、アクセス制御部113は、上述した起動指令を受信したタイミングではなく、RRCレイヤにおける無線基地局との接続（RRC CONNECTION REQUEST）において、ACBを無効にする処理を実行してもよい。
【００３２】
（３）移動通信システムの動作
次に、移動通信システム10の動作について説明する。具体的には、UE100がアクセス規制の起動指令を受信した場合における動作について説明する。
【００３３】
（３．１）動作例１
図３は、UE100がASACの起動指令を受信した場合における動作シーケンス（動作例１）を示す。図３に示すように、運用管理システム30は、ASACの起動指令をeNB40に送信する（S10）。ASACの起動指令を受信したeNB40は、ASACの起動指令を含む報知情報をeNB40が形成するセル内に報知する。この結果、UE100は、ASACの起動指令を受信する（S20）。
【００３４】
ASACの起動指令を受信したUE100、具体的には、RRC110は、受信した起動指令をOS／管理用アプリケーション120に転送する（S30）。OS／管理用アプリケーション120は、転送された起動指令に基づいてASACを起動する（S40）。次いで、OS／管理用アプリケーション120は、ASACの起動結果、具体的には、ASACを正常に起動できたか否かをRRC110に通知する（S50）。
【００３５】
RRC110は、ASACの起動結果に基づいて、ASACが正常に起動したか否かを判定する（S60）。RRC110は、ASACが正常に起動した場合、ACBを無効にする（S70）。一方、RRC110は、ASACが正常に起動しない場合、ACBを無効にすることなく処理を終了する。
【００３６】
動作例１によれば、ASACが正常に起動した場合には、ACBが無効となるため、ASACとACBとの両方のアクセス規制がUE100において実行されることが回避できる。
【００３７】
（３．２）動作例２
図４は、UE100がASAC及びACBの起動指令を同時に受信した場合における動作シーケンス（動作例２）を示す。図４に示すように、運用管理システム30は、ASACの起動指令及びACBの起動指令をeNB40に同時に送信する（S11）。ASACの起動指令及びACBの起動指令を受信したeNB40は、ASACの起動指令及びACBの起動指令を含む報知情報（例えば、SIB2や新たなSIB）をeNB40が形成するセル内に報知する。この結果、UE100は、ASACの起動指令及びACBの起動指令を受信する（S21）。
【００３８】
ASACの起動指令及びACBの起動指令を受信したUE100（RRC110）は、受信したASACの起動指令に基づいて、ASAC起動指令をOS／管理用アプリケーション120に転送する（S30）。つまり、RRC110は、ASACの起動指令及びACBの起動指令を同時に受信しても、ASACの起動指令のみをOS／管理用アプリケーション120に転送する。
【００３９】
OS／管理用アプリケーション120は、転送された起動指令に基づいてASACを起動する（S40）。次いで、OS／管理用アプリケーション120は、ASACの起動結果、具体的には、ASACを正常に起動できたか否かをRRC110に通知する（S50）。このような処理は、上述した動作例１と同様である。
【００４０】
RRC110は、ASACの起動結果に基づいて、ASACが正常に起動したか否かを判定する（S60）。RRC110は、ASACが正常に起動した場合、ACBを無効にする（S70）。一方、RRC110は、ASACが正常に起動しない場合、ステップS21においてACBの起動指令を受信したことに基づいて、ACBを起動する（S80）。
【００４１】
この結果、ASAC及びACBの起動指令を同時に受信した場合、UE100は、ASACが起動できた場合にはASACに従ったアクセス規制を実行し、ASACが起動できない場合には、ACBを起動してアクセス規制を実行するため、両方のアクセス規制ではなく、必ず何れか一方のアクセス規制が実行されることとなる。
【００４２】
（３．３）動作例３
図５は、UE100がASACの起動指令を受信した場合における動作シーケンス（動作例３）を示す。図５に示すように、ステップS10及びS20の処理は、上述した動作例１と同様である。
【００４３】
ASACの起動指令を受信したUE100（RRC110）は、UE100におけるASACの起動状態をOS／管理用アプリケーション120に問い合わせる（S31）。OS／管理用アプリケーション120は、ASACの起動状態を判定する（S41）。具体的には、OS／管理用アプリケーション120のASAC起動部121は、ASACが起動され、ASACに従ったアクセス規制が実行されているか否かを判定する。次いで、OS／管理用アプリケーション120は、ASACの起動状態をRRC110に通知する（S51）。
【００４４】
RRC110は、通知されたASACの起動状態に基づいて、ASACが正常に起動しているか否かを判定する（S61）。RRC110は、ASACが正常に起動している場合、ACBを無効にする（S70）。
【００４５】
動作例３によれば、動作例１と同様に、ASACが正常に起動している場合には、ACBが無効となるため、ASACとACBとの両方のアクセス規制がUE100において実行されることが回避できる。
【００４６】
（３．４）動作例４
図６は、UE100がASAC及びACBの起動指令を同時に受信した場合における動作シーケンス（動作例４）を示す。図６に示すように、ステップS11及びS21の処理は、上述した動作例１と同様である。
【００４７】
ASACの起動指令及びACBの起動指令を受信したUE100（RRC110）は、UE100におけるASACの起動状態をOS／管理用アプリケーション120に問い合わせる（S31）。OS／管理用アプリケーション120は、ASACの起動状態を判定する（S41）。具体的には、OS／管理用アプリケーション120のASAC起動部121は、動作例３と同様に、ASACが起動され、ASACに従ったアクセス規制が実行されているか否かを判定する。次いで、OS／管理用アプリケーション120は、ASACの起動状態をRRC110に通知する（S51）。
【００４８】
RRC110は、通知されたASACの起動状態に基づいて、ASACが起動しているか否かを判定する（S61）。RRC110は、ASACが起動している場合、ACBを無効にする（S70）。
【００４９】
一方、RRC110は、ASACが起動していない場合、RRC110は、ステップS21において受信したASACの起動指令をOS／管理用アプリケーション120に転送する（S81）。OS／管理用アプリケーション120は、転送された起動指令に基づいてASACを起動する（S90）。次いで、OS／管理用アプリケーション120は、ASACの起動結果、具体的には、ASACを正常に起動できたか否かをRRC110に通知する（S100）。
【００５０】
RRC110は、ASACの起動結果に基づいて、ASACが正常に起動したか否かを判定する（S110）。RRC110は、ASACが正常に起動した場合、ACBを無効にする（S120）。一方、RRC110は、ASACが正常に起動しない場合、ステップS21においてACBの起動指令を受信したことに基づいて、ACBを起動する（S130）。
【００５１】
この結果、ASAC及びACBの起動指令を同時に受信した場合、UE100は、動作例１と同様に、ASACが既に起動している場合にはASACに従ったアクセス規制を実行し、ASACが起動していない場合には、ACBを起動してアクセス規制を実行するため、両方のアクセス規制ではなく、必ず何れか一方のアクセス規制が実行されることとなる。
【００５２】
（４）作用・効果
上述したように、UE100は、ASAC（特定アクセス規制）の起動指令またはACB（装置アクセス規制）の起動指令を受信した場合、UE100においてASACが起動しているか否かを判定し、ASACが起動されている場合、ACBを無効にする。このため、ACBとASACとの両方のアクセス規制が同時にUE100において実行される状態を回避できる。すなわち、UE100は、ACBとASACとの両方のアクセス規制に対応したUEだが、ACB及びASACの両方が移動通信ネットワーク20において用いられる場合でも、ASAC非対応のUEと比較して不利な規制の扱い（いわゆるASACとACBとによる二重規制）を受けることを確実に防止し得る。
【００５３】
また、このように二重規制を確実に防止できるため、UEのベンダによるASACのサポートの促進も期待できる。
【００５４】
さらに、本実施形態では、UE100は、ASACの起動状態に基づいてACBを無効にしたり、起動指令に基づいてASACが正常に起動した場合、ACBが無効にしたりすることができるため、より確実に二重規制を防止し得る。
【００５５】
なお、ASACとACBとによる二重規制を回避するため、上述した実施形態以外に次のような方法も考えられるが、それぞれ問題点がある。例えば、活性化したASAC機能エンティティが、ASACによるチェックを通過した送信データに、「ASACチェック通過済フラグ」を付与し、RRCが当該フラグを参照してACBによるチェックを無視することが考えられる。しかしながら、OSとRRCとのレイヤ間を跨がる情報のやり取りが発生し、実装の難易度が高い。
【００５６】
また、ASACに対応したUEは、ACBを事前設定で無効化しておくことが考えられる。しかしながら、ACBのみを起動し、ASACは起動しない状態が発生した場合、本来であればACBによる規制がなされるべきにも関わらず、ASACに対応したUEに対しては何らアクセス規制が実行されない。
【００５７】
さらに、UEのRRCが、ASACの起動指令及びACBの起動指令を同時に受信した場合、ACBを無効にすることも考えられる。しかしながら、ASAC機能エンティティが実装されていない（ASACをサポートしていない場合）或いはASAC機能エンティティが適切に構成されていない場合、ASACが起動できず、このような場合には、本来であればACBによる規制が実行されるべきにも関わらず、ASAC及びACBの何れによる規制も実行されない。
【００５８】
上述した本実施形態に係るUE100によれば、このような問題を解消し、ASACの起動状態を確認しつつ、ACBによる規制が必要な場合には、確実にACBによる規制を実行できる。
【００５９】
（５）その他の実施形態
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００６０】
例えば、上述した本発明の実施形態では、特定アクセス規制としてASACを例として説明したが、本発明は、SSACにも勿論適用することができる。
【００６１】
また、上述した本発明の特徴は、以下のように表現されても構わない。本発明の第１の特徴は、特定のアプリケーションまたは特定のサービスによる通信を規制するASACまたはSSAC（特定アクセス規制）と、特定の通信に限定することなく全ての種類の通信を規制するACB（装置アクセス規制）とを実行可能なUE100（ユーザ装置）であって、前記特定アクセス規制の起動指令及び前記装置アクセス規制の起動指令を受信する起動指令受信部111（起動指令受信部）と、前記ユーザ装置において、前記特定アクセス規制及び前記装置アクセス規制の起動を制御するアクセス制御部113（アクセス制御部）とを備え、前記アクセス制御部は、前記起動指令受信部が前記特定アクセス規制の起動指令または前記装置アクセス規制の起動指令を受信した場合、前記ユーザ装置において前記特定アクセス規制が起動しているか否かを判定し、前記特定アクセス規制が起動されている場合、前記装置アクセス規制を無効にすることを要旨とする。
【００６２】
本発明の第１の特徴において、前記アクセス制御部は、前記起動指令受信部が前記特定アクセス規制の起動指令を受信した場合、前記特定アクセス規制を起動し、前記特定アクセス規制が正常に起動した場合、前記装置アクセス規制を無効にしてもよい。
【００６３】
本発明の第１の特徴において、前記アクセス制御部は、前記起動指令受信部が前記特定アクセス規制の起動指令と、前記装置アクセス規制の起動指令とを同時に受信した場合、前記特定アクセス規制を起動し、前記特定アクセス規制が正常に起動した場合、前記装置アクセス規制を無効にしてもよい。
【００６４】
本発明の第１の特徴において、前記アクセス制御部は、前記特定アクセス規制が正常に起動しない場合、前記装置アクセス規制を起動してもよい。
【００６５】
本発明の第１の特徴において、前記アクセス制御部は、前記起動指令受信部が前記特定アクセス規制の起動指令と、前記装置アクセス規制の起動指令とを同時に受信した場合、前記ユーザ装置において前記特定アクセス規制が起動しているか否かを判定し、前記特定アクセス規制が起動されている場合、前記装置アクセス規制を無効にしてもよい。
【００６６】
本発明の第１の特徴において、前記アクセス制御部は、無線リソース制御レイヤにおける無線基地局との接続において、前記装置アクセス規制を無効にしてもよい。
【００６７】
本発明の第２の特徴は、ユーザ装置における特定のアプリケーションまたは特定のサービスによる通信を規制する特定アクセス規制と、特定の通信に限定することなく全ての種類の通信を規制する装置アクセス規制とを実行可能な通信方法であって、
前記ユーザ装置が、前記特定アクセス規制の起動指令及び前記装置アクセス規制の起動指令を受信するステップと、前記ユーザ装置において、前記特定アクセス規制及び前記装置アクセス規制の起動を制御するステップとを備え、前記制御するステップでは、前記起動指令受信部が前記特定アクセス規制の起動指令または前記装置アクセス規制の起動指令を受信した場合、前記ユーザ装置において前記特定アクセス規制が起動しているか否かを判定し、前記特定アクセス規制が起動されている場合、前記装置アクセス規制を無効にすることを要旨とする。
【００６８】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００６９】
10…移動通信システム
20…移動通信ネットワーク
30…運用管理システム
40…eNB
100…UE
110…RRC
111…起動指令受信部
113…アクセス制御部
120…OS／管理用アプリケーション
121…ASAC起動部
130…一般アプリケーション
【図１】
2014216700.tif 000003
【図２】
2014216700.tif 000004
【図３】
2014216700.tif 000005
【図４】
2014216700.tif 000006
【図５】
2014216700.tif 000007
【図６】
2014216700.tif 000008